(57)【要約】【課題】主としてＨＤＤ用モータにおいて、銘板の浮きや反りが生じないようにして製造密番を正確に読めるようにし、磁気記憶装置が組み込まれるセットに支障を来たす恐れのないモータを提供することを目的とする。【解決手段】回転するハブ２と、前記ハブ２と一体で回転するマグネット３と、前記マグネット３と対向する位置にある巻線組立８と、前記巻線組立８が固定されている基台１０と、前記基台１０の前記巻線組立８と相対する反対面にＦＰＣ１２および銘板１５を有し、前記ＦＰＣ１２と前記銘板１５が重合しないように配置する。【選択図】図１
2011211857.tif 000002
【特許請求の範囲】
【請求項１】
回転するハブと、
前記ハブと一体で回転するマグネットと、
前記マグネットと対向する位置にある巻線組立と、
前記巻線組立が固定されている基台と、
前記基台の前記巻線組立と相対する反対面にフレキシブルパターン基板および銘板を有し、前記銘板は前記ハブの回転軸と略垂直に交わるように配置されており、前記フレキシブルパターン基板は前記ハブの回転軸と交わらないように配置されており、前記フレキシブルパターン基板と前記銘板が重合しないように配置されていることを特徴とするブラシレスモータ。
【請求項２】
前記銘板が第一部位と第二部位と、前記第一部位と第二部位を繋ぐ連結部位から構成されることを特徴とする請求項１に記載のブラシレスモータ。
【請求項３】
前記第一部位と前記第二部位の外形状が円弧であり、前記連結部位の形状が直線形状である請求項２に記載のブラシレスモータ。
【請求項４】
前記第一部位と前記第二部位の外形状が円弧であり、前記連結部位が角部を有する請求項２に記載のブラシレスモータ。
【請求項５】
前記第一部位と前記第二部位の外形状が角部を有し、前記連結部位の形状が直線形状である請求項２に記載のブラシレスモータ。
【請求項６】
前記第一部位と前記第二部位の外形状が角部を有し、前記連結部位が角部を有する請求項２に記載のブラシレスモータ。
【請求項７】
前記銘板の表面に印字がなされており、前記銘板の外形と印字の最小隙間寸法が２ｍｍ以下である請求項１から６のいずれかに記載のブラシレスモータ。
【請求項８】
前記基台は材料をアルミニウムとしてダイカスト成型されており、前記基台の表面処理としてカチオン電着塗装が施されている請求項１から７のいずれかに記載のブラシレスモータ。
【発明の詳細な説明】
【技術分野】
【０００１】
本発明は、主として磁気記憶装置に用いられるブラシレスモータ（以下、モータと略する）に関するものである。
【背景技術】
【０００２】
近年、ＯＡ分野の磁気記憶装置の高容量化，高速化に伴い磁気記憶装置の使用用途の幅が広がり、ＰＣ用途に限定されることなく、ＴＶ録画機，ビデオカメラ，音楽プレーヤ，カーナビゲーション，ゲーム機などモバイル用途を中心として様々な用途に使用されている。
【０００３】
磁気記憶装置に組み込まれるモータは基台の内側に配置されており、トップカバーを基台にネジ止め締結するとモータは磁気記憶装置内部に配置されるため直接見ることは出来ない。磁気記憶装置にモータを組み込んだ状態で、モータの製造密番など適宜な情報を確認することが検討されており、前記情報が書き込まれた銘板を基台裏面のモータ構成部に貼り付けることが検討されている。
【０００４】
磁気記憶装置の基台裏面側には、磁気記憶装置の制御回路がネジ止め締結される。前記制御回路は、モータ構成部に相当する位置に貫通孔を有しており、基台裏面のモータ構成部と制御回路が干渉しないように逃がしており、前記銘板を基台裏面のモータ構成部に貼り付けることにより、印字した情報を磁気記憶装置の状態でも確認することが可能である。
【０００５】
そこで、このようなモータでは、基台裏面に貼り付ける銘板が提案されている。特許文献１では、銘板に適宜な情報が書き込まれており、カバープレートと重ならないように銘板の形状をリング状にして、銘板の貼付け時にカバープレートと銘板が接触してカバープレートが変形することを防ぐ技術が開示されている。
【先行技術文献】
【特許文献】
【０００６】
【特許文献１】特開２００３−３２９０３２号公報
【発明の概要】
【発明が解決しようとする課題】
【０００７】
近年、磁気記憶装置の使用用途は多様化しており、ＰＣ用途に限定されずモバイル用途等への広がりが著しい。モバイル用途等に拡大すると磁気記憶装置が組み込まれるセットが外気に触れる機会が増えて、磁気記憶装置が過酷な環境に置かれる恐れがある。極地に近い寒冷地で使用することもあれば、赤道直下で使用されることもあり、空調の効いていない屋外での使用も想定される。
【０００８】
このような過酷な環境下で使用されることが想定される一方、モータの銘板は基台裏面に貼付けられる。特に銘板を貼り付ける位置として、磁気記憶装置の状態でもモータの製造密番が視認できるモータ構成部に相当する位置が好まれている。基台表面（磁気記憶装置の内側になる）に銘板を貼り付けた場合、磁気記憶装置状態ではトップカバーで銘板が隠れてしまい見えなくなるため、銘板を貼り付ける部位としては基台裏面が適している。
【０００９】
基台裏面のモータ構成部に相当する位置にはフレキシブルパターン基板（以下、ＦＰＣと略する）が貼り付けられており、巻線組立から引き出されている巻線が前記ＦＰＣのランドに半田付けされる。巻線は、基台に開けられた貫通穴を通って基台表面から基台裏面へ引き出されており、磁気記憶装置内部の気密性を確保するため、前記貫通穴とＦＰＣ半田部を含むＦＰＣ表面を覆うように封止接着剤が塗布される。前記封止接着剤の上に覆い被さるように、基台裏面のモータ構成部に相当する位置に銘板が貼り付けられる。
【００１０】
しかしながら、前記特許文献１では銘板が浮いたり反ることにより、製造密番が読めないという不具合を生じたり、磁気記憶装置の使用に支障を及ぼす恐れがある。前記特許文献１では、ＦＰＣ貼付け部と重合するように銘板を貼り付けているが、ＦＰＣ表面と銘板の間に隙間があるため、銘板の位置が不安定であり浮きや反りなどを生じる。
【００１１】
そのため、製造密番が正確に読めなかったり、浮きや反りにより変形した銘板が磁気記憶装置からはみ出して、磁気記憶装置が組み込まれるセットに支障を来たす恐れがある。また、ＦＰＣ表面を覆うように封止接着剤を塗布して前記隙間を埋めると仮定しても、封止接着剤表面が平滑でなく銘板との密着性が悪いことから銘板が浮いたり反りやすく、浮きや反りにより変形した銘板が磁気記憶装置からはみ出して磁気記憶装置が組み込まれるセットに支障を来たす恐れを除くことは出来ない。
【００１２】
本発明は、このような従来の課題を解決するものであり、ＦＰＣ貼付け部に重合しないように銘板を貼り付けることにより、銘板の浮きや反りが生じないようにして製造密番を正確に読めるようにし、浮きや反りにより銘板が磁気記憶装置からはみ出すことなく、磁気記憶装置が組み込まれるセットに支障を来たす恐れのないモータを提供することを目的とする。
【課題を解決するための手段】
【００１３】
上記課題を解決するために本発明は、回転するハブと、前記ハブと一体で回転するマグネットと、前記マグネットと対向する位置にある巻線組立と、前記巻線組立が固定されている基台と、前記基台の前記巻線組立と相対する反対面にＦＰＣおよび銘板を有し、前記銘板は前記ハブの回転軸と略垂直に交わるように配置されており、前記ＦＰＣは前記ハブの回転軸と交わらないように配置されており、前記ＦＰＣと前記銘板が重合しないように配置しているものである。
【００１４】
このように構成することにより、銘板の浮きや反りが生じないようにして製造密番を正確に読めるようにし、浮きや反りにより銘板が磁気記憶装置からはみ出すことなく、磁気記憶装置が組み込まれるセットに支障を来たす恐れのないモータを提供することができる。
【発明の効果】
【００１５】
本発明の請求項１に記載の発明は、回転するハブと、前記ハブと一体で回転するマグネットと、前記マグネットと対向する位置にある巻線組立と、前記巻線組立が固定されている基台と、前記基台の前記巻線組立と相対する反対面にＦＰＣおよび銘板を有し、前記銘板は前記ハブの回転軸と略垂直に交わるように配置されており、前記ＦＰＣは前記ハブの回転軸と交わらないように配置されており、前記ＦＰＣと前記銘板が重合しないように配置されていることを特徴とするモータとしたものであり、前記ＦＰＣ表面と前記銘板が重合しないように配置させることにより銘板の浮きや反りを無くして、磁気記憶装置から銘板がはみ出してセットに支障を来たすことが無い様にする。
【００１６】
請求項２に記載の発明は、前記銘板が第一部位と第二部位と、前記第一部位と第二部位を繋ぐ連結部位から構成されることを特徴とする請求項１に記載のモータとしたものであり、前記銘板の形状によりＦＰＣ表面と銘板が重合しないように配置させることが可能となり、銘板の浮きや反りを無くして、磁気記憶装置から銘板がはみ出してセットに支障を来たすことが無い様にする。
【００１７】
請求項３に記載の発明は、前記第一部位と前記第二部位の外形状が円弧であり、前記連結部位の形状が直線形状である請求項２に記載のモータとしたものであり、前記銘板の形状によりＦＰＣ表面と銘板が重合しないように配置して、銘板の浮きや反りを無くし、磁気記憶装置から銘板がはみ出してセットに支障を来たすことが無い様にする。
【００１８】
請求項４に記載の発明は、前記第一部位と前記第二部位の外形状が円弧であり、前記連結部位が角部を有する請求項２に記載のモータとしたものであり、前記銘板の形状によりＦＰＣ表面と銘板が重合しないように配置して、銘板の浮きや反りを無くし、磁気記憶装置から銘板がはみ出してセットに支障を来たすことが無い様にする。
【００１９】
請求項５に記載の発明は、前記第一部位と前記第二部位の外形状が角部を有し、前記連結部位の形状が直線形状である請求項２に記載のモータとしたものであり、前記銘板の形状によりＦＰＣ表面と銘板が重合しないように配置して、銘板の浮きや反りを無くし、磁気記憶装置から銘板がはみ出してセットに支障を来たすことが無い様にする。
【００２０】
請求項６に記載の発明は、前記第一部位と前記第二部位の外形状が角部を有し、前記連結部位が角部を有する請求項２に記載のモータとしたものであり、前記銘板の形状によりＦＰＣ表面と銘板が重合しないように配置して、銘板の浮きや反りを無くし、磁気記憶装置から銘板がはみ出してセットに支障を来たすことが無い様にする。
【００２１】
請求項７に記載の発明は、前記銘板の表面に印字がなされており、前記銘板の外形と印字の最小隙間寸法が２ｍｍ以下である請求項１から６のいずれかに記載のモータとしたものであり、前記銘板の表面上に可能な限り大きく印字することにより、銘板表面の印字情報を正確に読み取れる様にする。
【００２２】
請求項８に記載の発明は、前記基台の材料としてアルミニウムを使用してダイカスト成型されており、前記基台の表面処理としてカチオン電着塗装が施されている請求項１から７のいずれかに記載のモータとしたものであり、銘板を平滑と密着性が劣る封止接着剤面に貼り付けないことから、銘板の浮きや反りを無くし、磁気記憶装置から銘板がはみ出してセットに支障を来たすことが無い様にする。
【図面の簡単な説明】
【００２３】
【図１】本発明の実施例１を示す断面図
【図２】本発明の実施例１を示す下面図
【図３】本発明の銘板の構成例を示す模式図
【図４】本発明の銘板の印字例を示す模式図
【図５】本発明の銘板の加工例を示す概略図
【図６】本発明の銘板の構成例を示す模式図
【発明を実施するための形態】
【００２４】
以下本発明の実施例について、図面を参照して説明する。
【００２５】
（実施例１）
図１はアウタロータ型のモータ断面図になる。図１において、シャフト１に支承されて回転するハブ２の内側にマグネット３が接着固定されており、ハブ２とマグネット３が一体となって回転している。ハブ２は回転軸４を中心として回転している。シャフト１とフランジ５とスリーブ６とスラスト板７は流体軸受を構成しており、軸受内部にオイルを充填している。マグネット３の対向する位置には巻線組立８が配置されており、巻線組立８に通電して励磁することにより電磁力を発生させて、マグネット３を回転させる。前記巻線組立８からは巻線９が引き出されている。
【００２６】
前記巻線組立８は、アルミダイカストである基台１０に接着固定されている。前記基台１０の表面にはカチオン電着塗装が施されているが、部材の取り付け精度が必要な部位については、カチオン電着塗装後に機械加工により寸法精度を良くしている。スリーブ６および巻線組立８の取り付け部は、基台１０に機械加工が必要となる。前記巻線組立８と回転軸方向に相対する基台１０の上面には、絶縁シール１１が貼り付けられている。
【００２７】
基台１０の裏面には、ハブ２の回転軸４と交わらないようにＦＰＣ１２が貼り付けられている。前記絶縁シール１１と前記基台１０は略同位置に貫通穴を有しており、前記ＦＰＣ１２は略同位置に切欠きを有しており、前記貫通穴と前記切欠きに巻線９を通してＦＰＣ１２の半田部１３に前記巻線９を半田付けする。
【００２８】
前記貫通穴から磁気記憶装置の内部にコンタミが入らない様に、前記貫通穴近傍のＦＰＣ１２の表面に封止接着剤１４を塗布する。前記基台１０のモータ構成部の裏面に相当するＡ面２３には、ハブ２の回転軸４と略垂直に交わり、且つＦＰＣ１２と重合しないように銘板１５が貼り付けられている。
【００２９】
図２は基台裏面からの下面図になる。基台１０にＦＰＣ１２が貼り付けられており、前記基台１０のモータ構成部に掛かるＦＰＣ１２の表面には、磁気記憶装置の気密性を確保するために封止接着剤１４により封止されている。銘板１５は、基台１０のモータ構成部に相当する位置に、且つハブの回転軸（図２には図示せず）と略垂直に交わる位置に、ＦＰＣ１２と重合しないように貼り付けられている。図３は銘板の構成例を示す模式図になる。前記銘板１５は図３に示すように、第一部位１６ａと第二部位１６ｂと前記第一部位１６ａと第二部位１６ｂを繋げる連結部位１６ｃから構成される。
【００３０】
図４は銘板の印字例を示す模式図になる。前記銘板１５の表面には、図４のように適宜な情報を含む製造密番が印字されており、正確に製造密番を読み取るために銘板１５の表面に可能な限り大きく表示しており、銘板１５の外形と印字されている製造密番の最小隙間寸法２４を２ｍｍ以下としている。なお、第一部位１６ａおよび第二部位１６ｂと連結部位１６ｃが繋がる箇所には、コーナーＲもしくは面取りを有しても構わない。
【００３１】
図１および図２の銘板１５を貼り付けているＡ面２３は機械加工を行なっている。基台１０がアルミダイカストである場合、モータ構成部の厚み精度が図面規格から外れて厚くなると、磁気記憶装置が組み込まれるセットに基台１０が当たり組立に支障を来たす恐れがあるため、機械加工により高精度に仕上げる。一方ＦＰＣ１２を貼り付ける面については、厚み方向に寸法的尤度があるため、機械加工をせずにカチオン電着塗装面にＦＰＣ１２を貼り付ける。
【００３２】
また銘板１５を基台１０に貼り付ける際、ＦＰＣ１２と銘板１５が重合すると、銘板１５と封止接着剤１４が重合することになる。封止接着剤１４は手作業もしくは自動機により塗布されるが、硬化後の封止接着剤１４の表面はうねっており、平滑が良くない上、銘板１５と封止接着剤１４の密着性も悪い。
【００３３】
そのため、封止接着剤１４と銘板１５が重合した箇所から、銘板１５が浮いたり反ったり剥がれる原因となる。磁気記憶装置の使用形態が多様化してモバイル用途に拡大すると、磁気記憶装置が組み込まれるセットが、家屋の中ではなく外気に触れる機会が増えて過酷な環境下に置かれる恐れがある。
【００３４】
銘板１５と封止接着剤１４が重合して密着性が悪くなっている部位に温度負荷が作用すると、銘板１５と封止接着剤１４が剥離して銘板１５が浮いたり反る可能性が増える恐れがある。特に近年、製造密番に２次元コード（例えば、ＱＲコードなど）を使用することが多く、銘板１５が浮いたり反ったり剥がれると自動読み取り機にて読み取りエラーを誘発し、業務に支障を来たす恐れがある。同時に銘板１５には印字面の反対側に粘着剤（図示せず）を有しており、銘板１５が浮くと粘着剤が露出することになる。
【００３５】
露出した粘着剤にはコンタミが付着しやすくなるため、ＦＰＣ１２と銘板１５が重合しないように構成して、銘板１５の浮きを防止することは塵埃対策にも有効である。なお、印字する製造密番は２次元コードに限定されず、１次元コードや英数字を含む文字などであっても良く、実施例に限定されるものではない。
【００３６】
図５は銘板の加工例を示す概略図になる。銘板１５は、図５に示すように基本的に樹脂と粘着剤を貼り合わせたロール状のシート１７を金型１８により打ち抜くことで作成される。金型回転方向１９とローラ回転方向２０とシート回転方向２１を連動させて、シート１７を所定の送り方向２２へ流す。
【００３７】
このようにして、金型１８で打ち抜かれた銘板１５は、ロール状のシート１７に貼り付く形態で納品される。銘板１５は、図３に示すように第一部位１６ａと第二部位１６ｂと、第一部位１６ａと第二部位１６ｂを繋ぐ連結部位１６ｃから構成される。第一部位１６ａと第二部位１６ｂと連結部位１６ｃから構成される銘板１５と、打ち抜き加工時の送り方向２２の関係は、連結部位１６ｃを挟むように送り方向２２に第一部位１６ａと第二部位１６ｂが配置される。
【００３８】
すなわち、送り方向２２に第一部位１６ａ、連結部１６ｃ、第二部位１６ｂが順になる。なお、第一部位１６ａと第二部位１６ｂの位置関係は逆になっても良い。このように連結部位１６ｃを設けると、プリンターを使用して銘板１５に適宜な情報を含む製造密番を印字する際、銘板１５の付いているロール状のシート１７を送るプリンターの送り精度が悪くても、連結部位１６ｃにて送り精度の悪化分をバッファとして吸収させて銘板１５の外形から印字をはみ出させず、製造密番を正確に読み取ることが可能となる。
【００３９】
図６は銘板の構成例を示す模式図になる。銘板１５は、図６に示すように第一部位１６ａと第二部位１６ｂの円弧の曲率半径に差異があり、連結部位１６ｃにより繋がれている構成としても良い。銘板１５のベース材質はポリエチレンテレフタレート（以下、ＰＥＴと略す）であり、前記ＰＥＴに粘着剤が貼り合わせてあり、銘板１５の厚みとしては０．０３〜０．２ｍｍである。厚みが０．０３ｍｍより薄くなると銘板１５の剛性が弱くなって曲がり易くなり貼付け作業に支障を来たす恐れや、薄いために剥がれたり破損しやすく製品取り扱い上支障を来たす恐れがある。
【００４０】
一方０．２ｍｍより厚くなると銘板１５の打ち抜き加工時のバリ，カエリが目立つようになり、塵埃が磁気記憶装置の読み書きに支障を来たす恐れがある。したがって、銘板１５の厚みは０．０３〜０．２ｍｍに設定して使用している。なお、銘板１５の材料についてはＰＥＴに限定したものではない。
【００４１】
本実施例のように構成することにより、銘板の浮きや反りが生じないようにして製造密番を正確に読めるようにし、浮きや反りにより銘板が磁気記憶装置からはみ出すことなく、磁気記憶装置が組み込まれるセットに支障を来たす恐れのないモータを提供することができる。
【００４２】
なお、以上の説明ではモータをアウタロータ型で構成した例で説明したが、インナロータ型についても実施可能である。本発明は上記実施例に限定されるものではない。
【００４３】
上記実施例の記載から明らかなように、請求項１から６のいずれかに記載の発明によれば、ＦＰＣと銘板を重合しないように配置させることにより銘板の浮きや反りを無くして、磁気記憶装置から銘板がはみ出してセットに支障を来たすことが無い様にする。従来の銘板はＦＰＣの貫通穴や半田部付近に覆い被さる様に貼り付けられていた。
【００４４】
ＦＰＣの貫通穴巻線半田部付近には封止接着剤が塗布されており、前記封止接着剤の上に銘板が被さるように貼り付けられている。封止接着剤の表面は平滑でなく密着性が悪い。また磁気記憶装置のモバイル用途等への使用形態の多様化により使用環境が過酷になると、封止接着剤と銘板の貼り付け部に作用する温度負荷も条件が厳しくなる。
【００４５】
上記要因が重なると、封止接着剤と銘板が重合する部位から銘板が剥がれて、銘板の浮きや反りを生じて品質問題を生じる恐れがあった。
【００４６】
したがって、ＦＰＣと銘板が重合しないように配置して銘板の浮きや反りを無くすことにより、磁気記憶装置から銘板がはみ出してセットへの組み込みに支障を来たすこと無く、浮いた銘板の粘着剤に塵埃が付着して磁気記憶装置の読み書きに支障を来たすことのないモータを提供することが出来る。
【００４７】
また同時に銘板自体の大きさも小型化されるため、打ち抜き加工時の取れ率が高くなり、結果としてコストダウンという相乗効果も得られる。
【００４８】
請求項７に記載の発明によれば、ＦＰＣと銘板が重合しないことにより銘板が浮いたり反ることがないため、銘板の外形近傍ギリギリまで印字することが可能となり、大きく印字することにより銘板表面の適宜な印字情報を正確に読み取ることが出来る。
【００４９】
近年、印字情報として２次元コードを使用して情報量を増やすことが多く、銘板が浮いたり反ると、銘板の浮いた部分の印字情報が読み取りエラーとなり、業務効率を妨げたりユーザにおいては品質問題に発展する恐れがあった。したがって、銘板の外形と印字の最小隙間寸法を２ｍｍ以下に設定して、印字情報を極力大きく表示することにより、銘板に印字される製造密番など適宜な情報の読み取りエラーを無くして品質問題を未然に防ぎ、業務効率を妨げない様にすることが可能となる。
【００５０】
請求項８に記載の発明によれば、基台がアルミダイカストであり、表面処理としてカチオン電着塗装を施すことにより、銘板の浮きや反りを無くしている。封止接着剤の表面は平滑でなく密着性も悪い。前記基台に銘板を貼り付けることにより、平滑が確保された安定した面に銘板を貼り付けることになるため密着性も安定する。銘板の密着性を安定させて浮きや反りを無くすことにより、磁気記憶装置から銘板がはみ出してセットへの組み込みに支障を来たすこと無く、浮いた銘板の粘着剤に塵埃が付着して磁気記憶装置の読み書きに支障を来たすことのないモータを提供することが出来る。
【産業上の利用可能性】
【００５１】
本発明にかかるモータは、銘板の浮きや反りを無くすことにより、粘着剤に塵埃が付着して磁気記憶装置の読み書きに支障を来たさない効果を有しており、光メディアなど他の記憶媒体装置に対しても有用である。
【００５２】
本発明にかかるモータは、最小隙間寸法を設定して印字情報を極力大きく表示することにより、銘板印字情報の読み取りエラーを無くして業務効率を上げることが必要な            情報機器関連の小型精密モータ等の用途にも適用できる。
【符号の説明】
【００５３】
１  シャフト
２  ハブ
３  マグネット
４  回転軸
５  フランジ
６  スリーブ
７  スラスト板
８  巻線組立
９  巻線
１０  基台
１１  絶縁シール
１２  フレキシブルパターン基板（ＦＰＣ）
１３  半田部
１４  封止接着剤
１５  銘板
１６ａ 第一部位
１６ｂ 第二部位
１６ｃ 連結部位
１７  シート
１８  金型
１９  金型回転方向
２０  ローラ回転方向
２１  シート回転方向
２２  送り方向
２３  Ａ面（モータ構成部位の基台裏面）
２４  最小隙間寸法
【図１】
2011211857.tif 000003
【図２】
2011211857.tif 000004
【図３】
2011211857.tif 000005
【図４】
2011211857.tif 000006
【図５】
2011211857.tif 000007
【図６】
2011211857.tif 000008